(57)【特許請求の範囲】
【請求項１】
輸送管の途中に設けられた配管分岐装置と、前記配管分岐装置に接続された複数の散布装置とを備え、
前記配管分岐装置は、前記輸送管の途中に配された可動管と、前記散布装置のそれぞれに接続された複数の分岐管とを備え、前記輸送管及び前記分岐管の管端は、前記可動管の両端側にそれぞれ配されており、前記可動管は、その両端が、それぞれ前記輸送管及び前記分岐管のうちのいずれか１つと連通して接続可能に配されていることを特徴とする氷雪輸送散布装置。
【請求項２】
前記可動管はその一方端をそれぞれ支点として回動可能であり、回動した前記可動管の他方端は、それぞれ前記輸送管及び前記分岐管のうちのいずれか１つと連通して接続可能であることを特徴とする請求項１記載の氷雪輸送散布装置。
【請求項３】
輸送管の途中に設けられた複数の配管分岐装置と、前記配管分岐装置に接続された複数の散布装置とを備え、
前記配管分岐装置は、前記輸送管の途中に配された可動管と、前記散布装置のそれぞれに接続された複数の分岐管とを備え、前記輸送管及び前記分岐管の管端は、前記可動管の両端側にそれぞれ配されており、前記可動管は、その両端が、それぞれ前記輸送管及び前記分岐管のうちのいずれか１つと連通して接続可能に配されている氷雪輸送散布装置の氷雪輸送散布方法において、
前記輸送管の両端又は一端に氷雪供給装置を設け、前記氷雪供給装置のうちの少なくとも１つから前記輸送管を介して前記配管分岐装置に氷雪を供給し前記複数の散布装置のうちの少なくとも１つから氷雪を散布することを特徴とする氷雪輸送散布方法。
【請求項４】
前記可動管はその一方端をそれぞれ支点として回動可能であり、回動した前記可動管の他方端は、それぞれ前記輸送管及び前記分岐管のうちのいずれか１つと連通して接続可能であることを特徴とする請求項３記載の氷雪輸送散布方法。
【発明の詳細な説明】
【０００１】
【発明の属する技術分野】
この発明は、人工スキー場などの雪遊び施設において人工造雪された氷雪をゲレンデの各所に輸送し散布する際に用いるに好適な氷雪輸送散布装置及び方法に関するものである
【０００２】
【従来の技術】
図７は従来の人工スキー場で用いられている人工降雪システムの一例（以下、「先行技術１」という）を示す模式図である。図７に示すように、人工降雪装置２０は、製氷装置２２、貯氷庫２９、氷雪圧送装置２３を有する氷雪供給装置２１と、氷雪散布装置２４を備える。ポンプ等により水６４を製氷装置２２に供給して氷雪６０を製造させ、貯氷庫２９に貯氷しておく。氷雪散布時は貯氷庫２９から氷雪６０を取り出し氷雪圧送装置２３の氷雪フィーダ２５へ供給する。また、氷雪圧送装置２３では、ブロア２６を駆動して外部の空気をエアフィルタ２６ａを介して空気配管３８内に吸入して圧縮した後、ブロア２６の断熱圧縮によって昇温した圧縮空気５０'を熱交換器２７により吸入以前の温度に戻して圧送空気５０を生成し、氷雪フィーダ２５へ供給する。そして、貯氷庫２９から供給された氷雪６０と、熱交換器２７で冷却した圧送空気５０とを氷雪フィーダ２５において混合する。フィーダ２５から供給された氷雪６０は、圧送空気５０により、氷雪輸送管３０を介して圧送される。
【０００３】
ゲレンデ４０に敷設された氷雪輸送管３０には、散布位置に応じて複数の氷雪散布装置２４が配設されている。そして、各氷雪散布装置２４は、分岐装置２８を有している。図８は、従来の氷雪散布装置の分岐装置の一例を示す側面断面図である。図８に示すように、各氷雪散布装置２４の分岐装置２８においては、氷雪輸送管３０から分岐管３３が分岐されており、分岐管３３の各々は、第１、第２〜第ｎ取出し口３１、３２〜３ｎを有している。氷雪輸送管３０または分岐管３３への氷雪輸送の切り換えは、切換板３６によって行うようになっている。
【０００４】
氷雪輸送管３０を輸送されてきた氷雪６０は、分岐装置２８のそれぞれから分岐され、取り出し口３１〜３ｎから散布ホース３５を介して吐出口３４からゲレンデ４０を構成する第１、第２〜第ｎ散布区域４１、４２〜４ｎに散布される（以下、「先行技術１」という）。
【０００５】
図９は、従来の人工スキー場で用いられている人工降雪システムの他の例（以下、「先行技術２」という）を示す模式図である。
【０００６】
図９に示すように、先行技術２は２つの氷雪供給装置から氷雪を輸送散布する例である。ゲレンデ４０の上部４０Ｘに設けた氷雪供給装置２１Ｘから供給された氷雪は、氷雪輸送管３０Ｘを通って圧送され複数の氷雪散布装置２４Ｘによりゲレンデ４０に散布される。更に、ゲレンデ４０の下部４０Ｙに設けた氷雪供給装置２１Ｙから供給された氷雪は、氷雪輸送管３０Ｙを通って圧送され、複数の氷雪散布装置２４Ｙによりゲレンデ４０に散布される。
【０００７】
先行技術２は、気象やゲレンデの地形やゲレンデへの積雪効率等の条件により、ゲレンデの上部と下部から氷雪を供給輸送散布する際に用いられるものである。
【０００８】
【発明が解決しようとする課題】
上記の先行技術１には、下記の問題点があった。
【０００９】
▲１▼  氷雪輸送管または分岐管の２方向のいずれかに分岐する構成であるため、ゲレンデの多くの各散布区域に氷雪を散布するためには、多数の分岐装置が必要であり設備費が高額となる。また、メンテナンスのための作業時間と費用を多く要する。
【００１０】
▲２▼  切換板によって氷雪輸送の切換えを行う場合、氷雪が凍結し作動しないことがある。
【００１１】
上記の先行技術に２は、下記の問題点があった。
【００１２】
２系統の氷雪輸送管と氷雪散布装置が必要であり、設備費が高額となる。また、メンテナンスのための作業時間と費用を多く要する。
【００１３】
従って、この発明の目的は、効率的に氷雪散布区域の切り換えを行うことができ、低コストで運営することができ、また、複数の氷雪供給装置から氷雪を供給する場合に有効な、氷雪輸送散布装置及び方法を提供することにある。
【００１４】
【課題を解決するための手段】
請求項１記載の装置の発明は、輸送管の途中に設けられた配管分岐装置と、前記配管分岐装置に接続された複数の散布装置とを備え、
前記配管分岐装置は、前記輸送管の途中に配された可動管と、前記散布装置のそれぞれに接続された複数の分岐管とを備え、前記輸送管及び前記分岐管の管端は、前記可動管の両端側にそれぞれ配されており、前記可動管は、その両端が、それぞれ前記輸送管及び前記分岐管のうちのいずれか１つと連通して接続可能に配されていることに特徴を有するものである。
【００１５】
請求項２記載の装置の発明は、前記可動管はその一方端をそれぞれ支点として回動可能であり、回動した前記可動管の他方端は、それぞれ前記輸送管及び前記分岐管のうちのいずれか１つと連通して接続可能であることに特徴を有するものである。
【００１６】
請求項３記載の方法の発明は、輸送管の途中に設けられた複数の配管分岐装置と、前記配管分岐装置に接続された複数の散布装置とを備え、
前記配管分岐装置は、前記輸送管の途中に配された可動管と、前記散布装置のそれぞれに接続された複数の分岐管とを備え、前記輸送管及び前記分岐管の管端は、前記可動管の両端側にそれぞれ配されており、前記可動管は、その両端が、それぞれ前記輸送管及び前記分岐管のうちのいずれか１つと連通して接続可能に配されている氷雪輸送散布装置の氷雪輸送散布方法において、
前記輸送管の両端又は一端に氷雪供給装置を設け、前記氷雪供給装置のうちの少なくとも１つから前記輸送管を介して前記配管分岐装置に氷雪を供給し前記複数の散布装置のうちの少なくとも１つから氷雪を散布することに特徴を有するものである。
【００１７】
請求項４記載の方法の発明は、前記可動管はその一方端をそれぞれ支点として回動可能であり、回動した前記可動管の他方端は、それぞれ前記輸送管及び前記分岐管のうちのいずれか１つと連通して接続可能であることに特徴を有するものである。
【００１８】
【発明の実施の形態】
次に、この発明の実施の形態を図面を参照しながら説明する。
【００１９】
図１は、この発明の実施の形態に係る氷雪輸送散布装置を備える人工降雪装置を示す模式図、図２は、配管分岐装置を示す平面図、図３は図２の側面図、図４および図５は配管分岐装置の作動状態を説明する平面図、図６は、この発明の氷雪輸送散布方法を示す模式図である。
【００２０】
図１に示すように、人工スキー場３９には、ゲレンデ４０に氷雪６０を供給散布するための人工降雪装置１が設けられている。人工降雪装置１は、製氷装置２、貯氷庫３、貯氷庫３に貯蓄された氷雪６０をゲレンデ４０に輸送散布するための氷雪輸送散布装置１０を備える。
【００２１】
氷雪輸送散布装置１０は、氷雪輸送装置５と配管分岐装置１１と氷雪散布装置１２を備えている。氷雪輸送装置５は、氷雪６０をゲレンデ４０に供給するための、製氷装置２、貯氷庫３、スクリューコンベヤ６、ロータリーフィーダ７を有する氷雪供給装置２１と、氷雪輸送管３０等を備えている。
【００２２】
人工雪としてゲレンデ４０に散布すべき氷雪６０を製造する製氷装置２には、貯氷庫３が接続されて設けられており、該製氷装置２によって製造される氷雪６０をその庫槽内に受け入れて貯蓄することができる。
【００２３】
製氷装置２および貯氷庫３の下方には、図１に示すように、スクリューコンベヤ６が、その輸送始端側において、氷取出口３ａを介して貯氷庫３と接続されて設けられている。スクリューコンベヤ６は、スクリュー状の羽根６２が装着された駆動軸６１が、該駆動軸６１の軸心を中心として回転する動作によって、氷雪６０を矢印Ａ方向に向けて輸送し得るようになっている。
【００２４】
スクリューコンベヤ６の輸送終端側の下方には、上部にホッパ８が設けられたロータリーフィーダ７が、落下管６３、ホッパ８を介してスクリューコンベヤ６に接続して設けられている。ロータリーフィーダ７は、スクリューコンベヤ６から落下管６３、ホッパ８を介して該ロータリーフィーダ７内に供給された氷雪６０を氷雪輸送管３０側に供給する。
【００２５】
図１に示すように、ロータリーフィーダ７の上流側には空気配管３８が接続されている。空気配管３８の上流側にはブロア９が、ロータリーフィーダ７に供給された氷雪６０を氷雪輸送方向である矢印Ａ方向に向けて圧送し得る形で接続されている。ブロア９の更に上流側には、エアフィルタ７１が、外気を吸込みそしてこれをブロア９に供給自在に接続されている。また、ブロア９とロータリーフィーダ７との間には、熱交換器７２が設けられている。熱交換器７２は、エアフィルタ７１によって供給される外気からブロア９が生成吐出した圧縮空気５０’は断熱圧縮されて昇温しているので、熱交換してその温度を降下させる作用を有する。ブロア９は、熱交換器７２によって所定の温度に調整された氷雪輸送用の圧送空気５０をロータリーフィーダ７中に、ブロア９に設けられた操作盤７３によって設定した任意の圧力で供給するようになっている。
【００２６】
ロータリーフィーダ７の下流側には、氷雪輸送管３０が接続装着されており、氷雪輸送管３０はゲレンデ４０に延長敷設されている。氷雪輸送管３０は、ロータリーフィーダ７に供給される氷雪６０を、ブロア９による空気圧を介してゲレンデ４０に輸送する。かくして、氷雪輸送装置５が構成されている。
【００２７】
ゲレンデ４０に敷設された氷雪輸送管３０には、複数の配管分岐装置１１が配設されている。配管分岐装置１１に設けられた複数の分岐管８０に氷雪散布装置１２が接続されている。
【００２８】
図２〜６に示すように、配管分岐装置１１は、氷雪輸送管３０の途中に設けられ、可動ホース（可動管）８１、第１分岐管８２及び第２分岐管８３を有している。図６において、（ａ）、（ｂ）は、氷雪供給装置をゲレンデの上部に（氷雪供給装置２１Ｘ）、（ｃ）はゲレンデの下部に（氷雪供給装置２１Ｙ）、（ｄ）はゲレンデの上部及び下部の両方に設けた場合（氷雪供給装置２１Ｘ及び２１Ｙ）、そして、（ｅ）は、ゲレンデの上部に２つ設けられた場合（氷雪供給装置２１Ｘ及び２１Ｚ）を示す。複数の配管分岐装置１１ａ、１１ｂ、１１ｃ、１１ｄが氷雪輸送管３０の途中に設けられている。
【００２９】
図２を用いて配管分岐装置の構成を説明する。可動ホース８１は、輸送管３０をその途中で切断して所定間隔の間隙を設け、Ａ方向側の輸送管３０ａの管端とＢ方向側の輸送管３０ｂの管端との間の前記間隙内に配されている。そして、可動ホース８１の一方端８１ａは輸送管３０ａの管端と、他方端８１ｂは輸送管３０ｂの管端と、それぞれ連通して接続可能である。可動ホース８１は、例えば、蛇腹状をなし、長さ方向に伸縮自在で且つ彎曲自在のものである。例えば、塩ビ製ブレードホースなどが好適である。
【００３０】
第１分岐管８２は第１分岐ホース９４によって氷雪散布装置１２に、第２分岐管８３は第２分岐ホース９５によって他の散布装置１２に、それぞれ接続されている。
【００３１】
第１分岐管８２及び輸送管３０ｂは、可動ホース８１の一方端８１ｂと連通可能となる位置に放射状に配されている。第２分岐管８３及び輸送管３０ａは、可動ホース８１の他方端８１ａと連通可能となる位置に放射状に配されている。第１分岐管８２及び第２分岐管８３を複数設けて散布装置１２の数を更に増やしてもよい。
【００３２】
可動ホース８１の中央部の両側（図２では上下両側）には、ロッド９１ａを有する第１方向変換シリンダ機構９１、及び、ロッド９２ａを有する第２方向変換シリンダ機構９２が配設されている。シリンダ機構９１、９２は、可動ホース８１の中央部を囲んで不動に固定された架台９３に、軸１１６、軸１１７によって回動可能に軸着されている。
【００３３】
架台９３には略Ｌ字形の架台フレーム９８の基部が固定されており、フレーム９８の先端部９８ａには第２分岐管８３が固定されている。第１シリンダ機構９１のロッド９１ａの先端には、略直角三角形状の第１レバー９６が軸９７（２軸式）によって軸着されている。第１レバー９６の略直角部は、フレーム９８に軸９９によって軸着されている。可動ホース８１の一方端８１ａにはホルダー１００が固定されており、第１レバー９６の残りの角部とホルダー１００とは軸１０１によって軸着されている。更に、フレーム９８の先端部９８ａとホルダー１００との間に渡って第２レバー１０２が配されており、第２レバー１０２と、第２分岐管８３が固定されたフレームの先端部９８ａとは軸１０３によって軸着され、第２レバー１０２と、可動ホース８１の一方端８１ａが固定されたホルダー１００とは軸１０４によって軸着されている。以上により、第２分岐管８３側のリンク機構が構成される。フレーム９８には、リミットスイッチ１１４及びリミットスイッチ１１５が取り付けられている。リミットスイッチ１１４及びリミットスイッチ１１５は、第１シリンダ機構９１の作用により移動したレバー９６を検知することによって、可動ホース８１と第２分岐管８３（又は、輸送管３０ａ）とが規定された位置で対峙したことを知らせ、制御装置に信号を送り、その表示あるいは次の工程を開始する信号を送るようになっている。
【００３４】
第１分岐管８２側のリンク機構も上記の第２分岐管８３側と同様の構成であるが、以下に説明する。
【００３５】
架台９３には略Ｌ字形の架台フレーム１０５の基部が固定されており、フレーム１０５の先端部１０５ａには輸送管３０ｂが固定されている。第２シリンダ機構９２のロッド９２ａの先端には、略直角三角形状の第１レバー１０６が軸１０７（２軸式）によって軸着されている。第１レバー１０６の略直角部は、フレーム１０５に軸１０８によって軸着されている。可動ホース８１の一方端８１ｂにはホルダー１０９が固定されており、第１レバー１０６の残りの角部とホルダー１０９とは軸１１０によって軸着されている。更に、フレーム１０５の先端部１０５ａとホルダー１０９との間に渡って第２レバー１１１が配されており、第２レバー１１１と、輸送管３０ｂが固定されたフレームの先端部１０５ａとは軸１１２によって軸着され、第２レバー１１１と、可動ホース８１の一方端８１ｂが固定されたホルダー１０９とは軸１１３によって軸着されている。以上により、第１分岐管８２側のリンク機構が構成される。フレーム１０５には、リミットスイッチ１１８及びリミットスイッチ１１９が取り付けられている。リミットスイッチ１１８及びリミットスイッチ１１９は、第２シリンダ機構９２の作用により移動したレバー１０６を検知することによって、可動ホース８１と第１分岐管８２（又は、輸送管３０）とが規定された位置で対峙したことを知らせ、制御装置に信号を送り、その表示あるいは次の工程を開始する信号を送るようになっている。
【００３６】
次に、配管分岐装置の動作について説明する。
【００３７】
図２は、図６（ｂ）及び（ｄ）の配管分岐装置１１ａの状態を示している。可動ホース８１が例えばゲレンデ上部側（図２ではＡ側）の氷雪供給装置２１Ｘに接続された輸送管３０ａと、Ｂ側に設けられた別の配管分岐装置１１ｂに接続された輸送管３０ｂとを接続している状態である。この状態ではＡ方向側から輸送管３０ａを介して輸送されてくる氷雪６０をこの配管分岐装置１１ａの個所では氷雪の散布を行わず、Ｂ側にある別の配管分岐装置１１ｂから氷雪を散布することを示している。この状態から図６（ｃ）の配管分岐装置１１ａの状態、即ち、ゲレンデ下部側（図２ではＢ側）の氷雪供給装置から氷雪を輸送し、配管分岐装置１１ａから第２分岐管８３を介して氷雪を散布するように、可動ホース８１と第２分岐管８３とを接続する状態へ切り換える作用を図２、図５により説明する。可動ホースの一方端８１ａと輸送管３０ａの管端とが連通している図２に示す状態（可動ホースの他方端８１ｂと輸送管３０ｂの管端も連通している）では、第１シリンダ機構９１のロッド９１ａが所定長さ伸びた状態である。図２の状態からロッド９１ａを縮めると、第１レバー９６の軸９７部が引き寄せられ（図２では右側に移動）、軸９９及び軸１０３を支点として第１、第２レバー９６、１０２が回動し、軸１０１部及び軸１０４部によりホルダー１００が第２分岐管８３の方向（図２、図５では上方）に回動し、これにより、可動ホース８１の一方端８１ａは他方端部８１ｂを支点として、第２分岐管８３の管端と対峙する位置まで回動し彎曲する。更に、このとき、可動ホース８１は、第１、第２レバー９６、１０２によって第２分岐管８３の方に引っ張られて伸び、第２分岐管８３の管端と可動ホースの一方端８１ａとの間の隙間をなくし当接、密着する。以上により可動ホース８１の方向転換が完了する。リミットスイッチ１１４及びリミットスイッチ１１５の作用により、可動ホース８１と第２分岐管８３の接続が検知される。
【００３８】
以上により、図５に示すようにＢ方向側から輸送管３０ｂを介して輸送されてくる氷雪６０を第２分岐管８３に導入し、第２分岐ホース９５を介して氷雪散布装置１２に供給可能である。元の状態（図２に示す状態）に戻すときは、図５の状態からロッド９１ａを伸ばして可動ホース８１を輸送管３０ａの方に回動することにより、可動ホース８１と輸送管３０ａとが連通される。
【００３９】
第１分岐管側のリンク機構の作用も上記の第２分岐管側と同様であるが、以下に、図２に示す状態から図６（ａ）の配管分岐装置１１ａの状態、即ち、ゲレンデ上部側（図２ではＡ側）の氷雪供給装置から氷雪を輸送し、配管分岐装置１１ａから第１分岐管８２を介して氷雪を散布するように、可動ホース８１と第１分岐管８２とを接続する状態に切り換える作用を図２、図４により説明する。可動ホースの他方端８１ｂと輸送管３０ｂの管端とが連通している図２に示す状態（可動ホースの一方端８１ａと輸送管３０ａの管端も連通している）では、第２シリンダ機構９２のロッド９２ａが縮んでいる。図２の状態からロッド９２ａを伸ばすと、第１レバー１０６の軸１０７部が押し出され（図２では右側に移動）、軸１０８及び軸１１２を支点として第１、第２レバー１０６、１１１が回動し、軸１１０部及び軸１１３部によりホルダー１０９が第１分岐管８２の方向（図２、図４では上方）に回動し、これにより、可動ホース８１の他方端部８１ｂは一方端８１ａを支点として、第１分岐管８２の管端と対峙する位置まで回動し彎曲する。更に、このとき、可動ホース８１は、第１、第２レバー１０６、１１１によって第１分岐管８２の方に引っ張られて伸び、第１分岐管８２の管端と可動ホースの他方端８１ｂとの間の隙間をなくし当接、密着する。以上により可動ホース８１の方向転換が完了する。リミットスイッチ１１８及びリミットスイッチ１１９の作用により、可動ホース８１と第１分岐管８２の接続が検知される。
【００４０】
以上により、図４に示すようにＡ方向側から輸送管３０ａを介して圧送されてくる氷雪６０を第１分岐管８２に導入し、第１分岐ホース９４を介して氷雪散布装置１２に供給可能である。元の状態（図２に示す状態）に戻すときは、図４の状態からロッド９２ａを縮めて可動ホース８１を輸送管３０ｂの方に回動することにより、可動ホース８１と輸送管３０ｂとが連通される。
【００４１】
このように構成された、本発明装置は、可動ホース８１、分岐管８２、８３等の内部、即ち、氷雪輸送経路間部に切換板などの部材がないため、氷雪の凍結による閉塞、不作動が生じない。
【００４２】
また、本実施の形態では、配管分岐装置に可動ホースを１つ、分岐管を２つ配したが、分岐管の数は２つに限られず、必要に応じて３つ以上の複数を配してもよく、分岐管の数を増やし散布装置の数を増やすことも可能である。
【００４３】
また、配管分岐装置に輸送管を２つ配したが、輸送管の数は２つに限られず、必要に応じて３つ以上の複数を配してもよく、複数の氷雪供給装置から氷雪を供給することも可能である。
【００４４】
また、本実施の形態では、輸送管の途中に配管分岐装置を設け、分岐管を２つ配し、可動ホースをＡ方向側の輸送管とＢ方向側の輸送管との間に配しているが、１つの分岐管に変わって第３の方向Ｃ方向側の輸送管を配してもよい。これにより、図６（ｅ）に示すように、Ｃ方向側の輸送管の端部に氷雪供給装置を設け、氷雪を供給することも可能である。
【００４５】
【実施例】
次に、この発明の実施例を説明する。
【００４６】
図６（ａ）に示すように、輸送管３０の一端に氷雪供給装置２１Ｘを設け輸送管３０の途中に配管分岐装置を複数設ける（１１ａ〜１１ｄ）。配管分岐装置１１ａを稼動し、配管分岐装置１１ａでは可動ホース８１の一端８１ａを輸送管３０ａに、他端８１ｂを第１分岐管８２に接続し、この状態で氷雪供給装置２１Ｘから氷雪を供給すれば、氷雪は配管分岐装置１１ａ（第１分岐管８２、第１分岐ホース９４）を介して散布装置１２から散布され、このゲレンデ地域に散布可能である。
【００４７】
図６（ｂ）に示すように、更に、配管分岐装置１１ａの可動ホース８１の一端８１ａを輸送管３０ａに、他端８１ｂを輸送管３０ｂに接続し、他の配管分岐装置１１ｂの可動ホース８１の一端８１ａを輸送管３０ａ（配管分岐装置１１ａに接続された輸送管３０ｂに接続されている）に、他端８１ｂを第１分岐管８２に接続し、この状態で氷雪供給装置２１Ｘから氷雪を供給すれば、氷雪は配管分岐装置１１ｂを介して散布装置１２から散布され、このゲレンデ地域に散布可能である。
【００４８】
このように、配管分岐装置を稼動することより、順次ゲレンデの各地域に氷雪を散布することができる。
【００４９】
また、図６（ｃ）に示すように、輸送管３０の他の一端（例えばゲレンデ下部）に氷雪供給装置２１Ｙを設け、配管分岐装置１１ａの可動ホース８１の一端８１ａを第２分岐管８３に、他端８１ｂを輸送管３０ｂに接続し、他の分岐装置１１ｂ〜１１ｄは可動ホース８１の両端を輸送管３０と接続し、この状態で氷雪供給装置２１Ｙから氷雪を供給すれば、氷雪は配管分岐装置１１ａを介して散布装置１２から散布され、このゲレンデ地域に散布可能である。
【００５０】
図６（ａ）及び（ｃ）に示すように、氷雪供給装置を設ける場所にかかわらず、輸送管のどちらの方向からも氷雪を輸送し散布することが可能である。
【００５１】
このように、稼動する氷雪供給装置２１を選び、稼動する配管分岐装置を１１ａ〜１１ｄの中から選び、更に、散布装置１２の切り換えを行うことにより、ゲレンデ４０のいずれにも散布可能である。
【００５２】
図６（ｄ）に示すように、ゲレンデの上部及び下部に氷雪供給装置２１Ｘ及び２１Ｙを設け、各配管分岐装置１１の切り換えにより、氷雪供給装置２１Ｘ及び２１Ｙのうちのいずれの方向からも、また、両方向からも氷雪を供給可能である。
【００５３】
例えば、図６（ｄ）に示すように、氷雪供給装置２１Ｘ及び２１Ｙから同時に氷雪を供給し、氷雪供給装置２１Ｘから配管分岐装置１１ｂを介して氷雪を散布し、更に、氷雪供給装置２１Ｙから配管分岐装置１１ｃを介して氷雪を散布することが可能である。このように２つの氷雪供給装置２１Ｘ、２１Ｙを同時に稼動して氷雪を輸送し、散布することができる。
【００５４】
このように、２台の氷雪供給装置を用いることにより、ゲレンデへの氷雪の散布能力を倍増でき、ゲレンデの造成整備を短時間で行うことができる。
【００５５】
また、図６（ｅ）に示すように、配管分岐装置１１ａに氷雪供給装置２１Ｘに接続された輸送管３０ａ、又は、別の氷雪供給装置２１Ｚと接続された輸送管３０ｃのどちらかを接続し、氷雪を供給することが可能である。この場合、氷雪供給装置２１Ｘから輸送管３０ａを介して氷雪を供給して、配管分岐装置１１ｂを介して氷雪を散布し、また、輸送管３０ａから輸送管３０ｃに切り換えて別の氷雪供給装置２１Ｚから氷雪を供給して、配管分岐装置１１ｂを介して氷雪を散布することが可能である。
【００５６】
このように、２つの氷雪供給装置から適宜切り換えて氷雪を輸送散布することができるため、氷雪供給装置の特性によって異なった雪質の氷雪を散布したり、ゲレンデ造成の状況により供給能力の適正な氷雪供給装置を使い分けたり、また、予備装置として準備することなどが可能である。
【００５７】
【発明の効果】
以上説明したように、この発明によれば、複数の散布装置に接続可能な分岐装置を備えることにより、下記に示す有用な効果がもたらされる。
【００５８】
▲１▼  分岐装置の切換操作により２以上の複数の散布装置に氷雪供給を切り換えることができ散布区域の切り換えを効率良く行える。
【００５９】
▲２▼  ゲレンデの上部及び下部に氷雪供給装置を設け、ゲレンデの上部又は下部あるいは両方から氷雪を供給する場合でも、１系統の輸送管及び散布装置によって設備を構成でき低コストで運営可能であり、効率的に氷雪を輸送散布できる。
【００６０】
▲３▼  氷雪輸送経路間部に切換板などの部材がないため、氷雪の凍結による閉塞や不作動が生じない。閉塞や不作動が生じることがないため、確実に氷雪輸送の切換えができる。
【図面の簡単な説明】
【図１】この発明の実施の形態に係る氷雪輸送散布装置を備える人工降雪装置を示す模式図である。
【図２】この発明の実施の形態に係る配管分岐装置を示す平面図である。
【図３】図２の側面図である。
【図４】この発明の実施の形態に係る配管分岐装置の作動状態を示す平面図である。
【図５】この発明の実施の形態に係る配管分岐装置の作動状態を示す平面図である。
【図６】この発明の実施の形態に係る氷雪輸送散布方法を示す模式図である。（ａ）、（ｂ）は、氷雪供給装置をゲレンデの上部に、（ｃ）はゲレンデの下部に、（ｄ）は上部及び下部の両方に、そして、（ｅ）はゲレンデの上部に２つの氷雪供給装置を設けた場合を示す。
【図７】従来の人工スキー場が用いられている人工降雪システムの一例を示す模式図である。
【図８】従来の氷雪輸送散布装置の分岐装置の一例を示す側面断面図である。
【図９】従来の人工スキー場で用いられている人工降雪システムの他の例を示す模式図である。
【符号の説明】
１  人工降雪装置
２  製氷装置
３  貯氷庫
３ａ  氷取出口
５  氷雪輸送装置
６  スクリューコンベヤ
６１  駆動軸
６２  羽根
６３  落下管
７  ロータリーフィーダ
８  ホッパ
９  ブロア
１０  氷雪輸送散布装置
１１  配管分岐装置
１２  氷雪散布装置
２０  人工降雪装置
２１  氷雪供給装置
２２  製氷装置
２３  氷雪圧送装置
２４  氷雪散布装置
２５  氷雪フィーダ
２６  ブロア
２７  熱交換器
２８  分岐装置
２９  貯氷庫
３０  氷雪輸送管
３１〜３ｎ  取り出し口
３３  分岐管
３４  吐出口
３５  散布ホース
３６  切換板
３８  空気配管
３９  人工スキー場
４０  ゲレンデ
４１、４２〜４ｎ  散布区域
５０’  圧縮空気
５０  圧送空気
６０  氷雪
６４  水
７１  エアフィルタ
７２  熱交換器
７３  操作盤
８１  可動ホース
８２  第１分岐管
８３  第２分岐管
９１  第１方向変換シリンダ機構
９１ａ  ロッド
９２  第２方向変換シリンダ機構
９２ａ  ロッド
９３  架台
９４  第１分岐ホース
９５  第２分岐ホース
９６  第１レバー
９７、９９、１０１、１０３、１０４、  軸
９８  架台フレーム
９８ａ  一端部
９８ｂ  他端部
１００  ホルダー
１０２  第２レバー
１０５  架台フレーム
１０６  第１レバー
１０７、１０８、１１０、１１２、１１３  軸
１０９  ホルダー
１１１  第２レバー
１１４、１１５  リミットスイッチ
１１６、１１７  軸
１１８、１１９  リミットスイッチ
【図１】
0004240432.tif 000002
【図２】
0004240432.tif 000003
【図３】
0004240432.tif 000004
【図４】
0004240432.tif 000005
【図５】
0004240432.tif 000006
【図６】
0004240432.tif 000007
【図７】
0004240432.tif 000008
【図８】
0004240432.tif 000009
【図９】
0004240432.tif 000010